【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】
インキつぼローラ（１２）上の印刷インキが印刷方向に対して横方向に区域ごとに異なって案内され、呼び出しローラ（８）によって横振りローラ（９）上へ移される、印刷機（１）における印刷インキ供給の制御方法において、
前記横振りローラ（９）の横振りローラ往復運動によって生じるインキ移行の乱れ（６０，６１）が、該インキ移行の乱れ（６０，６１）に対抗して作用する、区域ごとのインキ配量によって、自動的に少なくとも十分に最小限に抑えられることを特徴とする、印刷インキ供給の制御方法。
【請求項２】
前記インキ移行の乱れ（６０；６１）は、周期的に繰り返す、前記呼び出しローラ（８）への前記横振りローラ（９）の側方縁位置ズレが変化することによって、前記呼び出しローラ（８）から前記横振りローラ（９）上へのインキ移行の際に生じる、前記側方縁位置ズレの領域内におけるインキ不足不良部分（６０）および／またはインキ過剰不良部分（６１）であり、また、このインキ移行不良部分（６０；６１）を補正する、前記印刷インキ供給の調節によって、このようなインキ移行不良部分（６０；６１）が関連するインキ区域（３１，３２，３６，３７）内で解消されるか、または十分に最小限に抑えられるインキ不足不良部分（６０）および／またはインキ過剰不良部分（６１）である、請求項１記載の制御方法。
【請求項３】
ローラ縁に近い少なくとも１つのインキ区域（３１，３２，３６，３７）内へのインキ流入が、前記インキ移行不良部分（６０；６１）の補正に相応して調節される、請求項１記載の制御方法。
【請求項４】
電子制御装置（４９）と、インキ配量装置（１３）と、動作開始時点が版胴（６）の回転角位置に関連して調節可能な横振りローラ（９）とから構成される印刷機（１）、特に、請求項１〜３のいずれか１項に記載の制御方法を実施するための印刷機（１）において、
前記インキ配量装置（１３）が、前記電子制御装置（４９）によって動作開始時点に依存して区域ごとに調節可能であることを特徴とする印刷機。
【請求項５】
前記横振りローラ（９）の横振りローラ往復駆動装置または横振りローラ往復伝動装置（Ｇ２）が、前記電子制御装置（４９）に制御技術的に接続されており、その結果、前記インキ配量装置（１３）は、前記電子制御装置（４９）によって前記横振りローラ往復駆動装置または横振りローラ往復伝動装置（Ｇ２）に依存して区域ごとに調節可能である、請求項４記載の印刷機。
【請求項６】
前記横振りローラ往復伝動装置（Ｇ２）の調節の際に一緒に調節可能で、前記電子制御装置（４９）に、前記横振りローラ往復伝動装置（Ｇ２）の調節量、したがって前記動作開始時点の調節量を信号によって伝達するポテンショメータ（Ｐ）が、前記横振りローラ往復伝動装置（Ｇ２）に配置されている、請求項５記載の印刷機。
【請求項７】
ローラ縁に近い、前記インキ配量装置（１３）の少なくとも１つの配量部材（２１，２２，２６，２７）が、前記電子制御装置（４９）によって動作開始時点に依存して調節可能である、請求項４記載の印刷機。
【請求項８】
前記インキ配量装置（１３）の少なくとも１つの配量部材（２１，２２，２６，２７）のインキ通路が、印刷画像に対応した区域ごとのインキプロファイル（５２）のみならず前記動作開始時点にも依存して調節可能である、請求項４記載の印刷機。
【請求項９】
前記電子制御装置（４９）に、前記印刷画像に対応した区域ごとのインキプロファイル（５２）を決定するデータが入力可能である、請求項４記載の印刷機。
【請求項１０】
前記インキ配量装置（１３）は、前記電子制御装置（４９）によって、前記動作開始時点の調節に依存して、前記動作開始時点の調節の、インキ盛りに関連した影響を補正する調節方向へ自動的に調節可能である、請求項４記載の印刷機。
【手続補正２】
【補正対象書類名】明細書
【補正対象項目名】００１４
【補正方法】変更
【補正の内容】
【００１４】
本発明による、インキつぼローラ上の印刷インキが印刷方向に対して横端に区域ごとに異なった状態で案内され、呼び出しローラによって横振りローラ上へ移される、印刷機における印刷インキ供給の制御方法は、横振りローラの軸方向の横振りローラ往復運動によって生じるインキ移行の乱れが、自動的に、区域ごとにインキ配量を調節することによって最大限に補正されることを特徴としている。本方法の利点は、手操作で行う再調節作業が必要ないことであり、また、印刷工にとって、動作開始時点の調節後のインキ着けを用紙寸法の全幅にわたって以前と同じように合わせることが可能になることである。本方法は、さらに、電子制御装置によって制御された、インキプロファイルの歪みの均一化に関して有利である。このインキプロファイルの歪みは、インキ移しローラから横振りローラを介してインキ装置ローラ上へインキ移行が行われる間に、周期的に繰り返し呼び出しローラおよびインキ装置ローラに対して軸方向に移動される、横振りローラの位置が、版胴の位相位置に相対的に変化することによって引き起こされる。
【手続補正３】
【補正対象書類名】明細書
【補正対象項目名】００１５
【補正方法】変更
【補正の内容】
【００１５】
新しく調節された動作開始時点にインキ配量のインキプロファイルを素早い反応で適合させることに関して有利な、本発明による方法の他の構成の場合、特定のインキ区域または複数の特定のインキ区域における、動作開始時点の調節の後に横振りローラ往復運動によって引き起こされるインキ不足不良部分は、これらのインキ区域内への印刷インキ供給を増大させることによって補正され、および／または、特定のインキ区域または複数の特定のインキ区域における、横振りローラ往復運動によって引き起こされるインキ過剰不良部分は、これらインキ区域内への印刷インキ供給を減少させることによって補正される。
【手続補正４】
【補正対象書類名】明細書
【補正対象項目名】００１７
【補正方法】変更
【補正の内容】
【００１７】
電子制御装置と、インキ配量装置と、動作開始時点が版胴の回転角位置に関連して調節可能な横振りローラとから構成される、本発明による印刷機は、インキ配量装置が、コンピュータ制御によって動作開始時点の調節に合わせて再調節可能であることを特徴とする。この印刷機によって、本発明による方法は非常に効果的に実施され、この場合、変化する、横振りローラの側方縁の位置ズレ（Ｓｅｉｔｅｎｒａｎｄｖｅｒｓａｔｚ）によって引き起こされるインキ盛り不良部分は、自動的に行われこの不良部分に対抗して作用する、区域ごとのインキ供給またはインキ後退によって、解消されるか、または、十分に最小限に抑えられる。したがって、インキ配量装置は、動作開始時点の調節によって版胴の回転位相位置に対し相対的に変えられる、横振りローラの軸方向位相位置に合わせて、この横振りローラに当接する呼び出しローラに対し相対的に電子的に制御されることにより再調節することができる。これによって、軸方向に歪められるインキ移行は、手動での制御操作を行わずに補正することができる。  伝動装置を介した、電動モータによる横振りローラ往復運動の駆動装置に関して有利な、本発明による印刷機の他の構成における実施態様の場合、横振りローラの横振りローラ往復駆動装置または横振りローラ往復伝動装置、およびインキ配量装置は、電子制御装置を介して制御技術的に互いに連結され、その結果、インキ配量装置は、電子制御装置によって、横振りローラ往復駆動装置または横振りローラ往復伝動装置に依存して区域ごとに調節可能である。この電子制御装置は、少なくとも１つのマイクロプロセッサを備えており、また、一方がインキ配量装置に、他方が横振りローラ往復駆動装置または横振りローラ往復伝動装置と例えばそのポテンショメータとに接続された、互いに連結された２つのマイクロプロセッサを含んでいてもよい。
【手続補正５】
【補正対象書類名】明細書
【補正対象項目名】００１８
【補正方法】変更
【補正の内容】
【００１８】
動作開始時点の調節を非常に正確に把握することに関して有利な他の実施形態の場合、この横振りローラ往復伝動装置は、横振りローラ往復伝動装置の調節によって回転可能または移動可能なポテンショメータであってこのポテンショメータを介して横振りローラ往復伝動装置が電子的な制御装置に制御技術的に接続されているポテンショメータに、嵌合状態で連結されている。